(57)【要約】【課題】  開封後の飲料水（炭酸飲料水、ビール、発泡酒など）の気抜けを防止できる飲料水用ボトルを提供する。【解決手段】  上方に口部を有するボトル本体と、空気より軽い気体を充填することにより空気より軽く構成されて前記ボトル本体内の常に最上位に浮上する可撓性材料の球体と、前記口部の下方開口にラッパ状に形成されて前記球体がはまり込む球体受入部とを備え、前記球体が浮上によって前記球体受入部にはまり込んだ状態ではこの球体により前記口部の下方開口が閉塞されるようにしたことを特徴とする飲料水用ボトル。好ましくは、球体受入部の受入深さは球体の半分よりも少し多くがはまり込む程度とされていると共に、ボトル本体の飲料水貯蔵部の外形は下方にゆくにしたがって少し細くなるようにされており、これにより、ボトル本体が倒れても口部から飲料水がこぼれるのを防止できる。【選択図】  図１
2006232352.tif 000002
【特許請求の範囲】
【請求項１】
上方に口部を有するボトル本体と、空気より軽い気体を充填することにより空気より軽く構成されて前記ボトル本体内の常に最上位に浮上する可撓性材料の球体と、前記口部の下方開口にラッパ状に形成されて前記球体がはまり込む球体受入部とを備え、前記球体が浮上によって前記球体受入部にはまり込んだ状態ではこの球体により前記口部の下方開口が閉塞されるようにしたことを特徴とする飲料水用ボトル。
【請求項２】
球体受入部の受入深さを球体の半分よりも少し多くがはまり込む程度とすると共に、ボトル本体の飲料水貯蔵部の外形を下方にゆくにしたがって少し細くなるようにしたことを特徴とする請求項１記載の飲料水用ボトル。
【発明の詳細な説明】
【技術分野】
【０００１】
本発明は、炭酸飲料水、ビール、発泡酒などの飲料水を充填するのに使用する飲料水用ボトルに関するものである。特に本発明は、これらの飲料水の気抜け防止及び温度変化低減、及び転倒時の飲料水の漏出防止を可能にした飲料水用ボトルに関する。
【背景技術】
【０００２】
この種の飲料水用ボトル、中でも炭酸飲料水用ボトルは、例えば特許文献１にあるように炭酸飲料水中で浮遊可能な栓体２１（球）をボトル本体１内に閉じ込めることにより、開栓時にこの栓体２１が炭酸飲料水中で浮き上がって口部４を閉じることにより開栓時の泡の吹きこぼれを抑制するようになっていると共に飲水時にはこの栓体２１が口部４から離反してスムーズに飲むことができるようになっている。
しかしながら、かかる従来の炭酸飲料水用ボトルでは、開栓後の栓体２１は口部４に留まらないため、開栓後、長時間ボトルを放置するとその間にボトル内に貯蔵された炭酸飲料水が気抜けしてしまうし、ボトル本体が倒れたときに口部から炭酸飲料水がこぼれてしまう構造を有していた。
【特許文献１】特開２００４−５１２０５号公報
【発明の開示】
【発明が解決しようとする課題】
【０００３】
本発明の解決しようとする問題は、上記従来のものでは一旦開栓すると栓体２１が炭酸飲料水中を浮遊するためにボトル本体１の口部４が開いたままになるので、この開いた状態の口部４を通しての炭酸飲料水の気抜けを防止できないし、またボトル本体１が倒れたときには栓体２１が役に立たずにこの開いた状態の口部４から炭酸飲料水がこぼれるという点である。
【課題を解決するための手段】
【０００４】
請求項１の発明は、上方に口部を有するボトル本体と、空気より軽い気体を充填することにより空気より軽く構成されて前記ボトル本体内の常に最上位に浮上する可撓性材料の球体と、前記口部の下方開口にラッパ状に形成されて前記球体がはまり込む球体受入部とを備え、前記球体が浮上によって前記球体受入部にはまり込んだ状態ではこの球体により前記口部の下方開口が閉塞されるようにしたことを特徴とする。
【０００５】
請求項２の発明は、球体受入部の受入深さを球体の半分よりも少し多くがはまり込む程度とすると共に、ボトル本体の飲料水貯蔵部の外形を下方にゆくにしたがって少し細くなるようにしたことを特徴とする。
【発明の効果】
【０００６】
請求項１の発明は、ボトル本体の立置状態では球体が浮上し球体受入部内にはまり込んで常時口部の下方開口を閉塞するので、開封後の飲料水（炭酸飲料水、ビール、発泡酒など）の気抜けを防止できると共に口部を通しての外部空気との接触により冷たい飲料水がぬるくなるというマイナス現象をも抑制できるという効果がある。
【０００７】
請求項２の発明は、ボトル本体が倒れてもボトル本体の口部の方が少し高くなる傾斜した状態となりしかも深くはまり込む球体が球体受入部内から抜け出ないために立置状態のときと同じ口部の閉塞状態が維持されるので、口部から飲料水（炭酸飲料水、ビール、発泡酒など）がこぼれるのを防止できるという効果がある。
【発明を実施するための最良の形態】
【０００８】
飲料水の気抜け防止及び飲料水の温度変化低減に関しては、空気より軽い気体を充填して空気より軽く構成した可撓性材料の球体をボトル本体内に入れ、ボトル本体の立置状態ではこの球体が浮上して口部の下方開口にある球体受入部内にはまり込んで、口部を塞ぐようにしたことにより、実現した。
【０００９】
また、転倒時の飲料水漏出防止に関しては、球体受入部の受入深さを球体の半分よりも少し多くがはまり込む程度とすると共に、ボトル本体の飲料水貯蔵部の外形を下方にゆくにしたがって少し細くなるようにし、ボトル本体が倒れても球体が球体受入部内から抜け出ず立置状態のときと同じ口部の閉塞状態が維持されるようにしたことにより、実現した。
【実施例】
【００１０】
本発明の一実施例を図１〜図３を用いて説明する。図１はボトル本体の立置状態を示す縦断側面図、図２はボトル本体の飲水状態を示す図、図３はボトル本体が倒れた状態を示す図である。
【００１１】
図において、１は上方に口部１ａを有するボトル本体、２は空気より軽い気体を充填することにより空気より軽く構成されてボトル本体１内の常に最上位に浮上する可撓性材料の球体、３は口部１ａの下方開口４にラッパ状に形成されて球体２がはまり込む球体受入部、５はキャップである。
なお、ボトル本体１の飲料水貯蔵部１ｂは、下方にゆくにしたがって少し細くなる外形を有している。また球体受入部３は、球体２の半分よりも少し多くがはまり込む程度の深さを有している。
【００１２】
今、キャップ５を外してボトル本体１の口部１ａから飲水すると、図２に示すように球体２が自身の浮力によってボトル本体１の底に形成される空間６に移動するので、球体２に邪魔されることなくスムーズに飲水することができる。
【００１３】
そして、飲水の途中で、飲水を止めてボトル本体１を放置すると、図１に示すように球体２はすぐさま球体受入部３内にはまり込んで収まるので、下方開口４が球体２により閉塞されて飲料水の気抜けを防止できると共に口部１ａを通しての外部空気との接触により冷たい飲料水がぬるくなるというマイナス現象をも抑制できる。
【００１４】
この図１の状態でボトル本体１が倒れると、図３に示すようにボトル本体１の飲料水貯蔵部１ｂの形状によって口部１ａ側が少し高くなる傾斜状態になると共に球体受入部３に球体２の半分よりも少し多くが深くはまり込んでいるので、球体２は自身の浮力によって球体受入部３から抜け出さずに球体受入部３内に収まった状態に維持される。よって、この球体２によって下方開口４が閉塞されるので、口部１ａから飲料水がこぼれない。
【００１５】
球体２は、空気より軽い気体（例えばヘリウム）を極薄の可撓性材料（例えばポリオレフィン等の極薄プラスチック）からなる外被体内に充填してなるもので、ピンポン球を小さくしたようなもので空気よりも軽くなるように構成してある。球体の外被体の材料として可撓性材料を用いるのは、ボトル内に球体２を入れる際に球体２に力を加えて若干変形させ、口部１ａ及び口部の下方開口４を通過させるためである。なお、この外被体の可撓性は、ボトル本体内に貯蔵された炭酸飲料水からのガス圧で球体２が変形して下方開口４からボトルの外へ飛び出さないような程度の大きさであるべきであることは言うまでもない。また、ボトル本体１及び口部１ａはその素材を特に限定されるものではないが、例えばボトル本体１はプラスチック容器（ペットボトル）やアルミ缶であることができ、その口部１ａは樹脂成型品の別体であるか又はボトル本体１と同一素材で一体成型されることができる。
【００１６】
なお、ここで言う飲料水としては、飲料水全般を指し、特に気抜け防止には炭酸飲料水、ビール、発泡酒等が最も効果的である。
【産業上の利用可能性】
【００１７】
本発明は、炭酸飲料水、ビール、発泡酒などの飲料水を充填するのに使用する飲料水用ボトルにおける飲料水の気抜け防止及び温度変化低減、及び転倒時の漏出防止に広く活用できる。
【図面の簡単な説明】
【００１８】
【図１】本発明の飲料水ボトルの一実施例を示すもので、ボトル本体の立置状態を示す縦断側面図である。
【図２】本発明の飲料水ボトルを傾けてボトル本体が飲水状態になっている状態を示す図である。
【図３】本発明の飲料水ボトルが転倒してボトル本体が倒れている状態を示す図である。
【符号の説明】
【００１９】
１：ボトル本体
１ａ：ボトル本体１の口部
１ｂ：ボトル本体１の飲料水貯蔵部
２：球体
３：球体受入部
４：球体受入部３の下方開口
５：キャップ
６：ボトル本体１の底に形成される空間
【図１】
2006232352.tif 000003
【図２】
2006232352.tif 000004
【図３】
2006232352.tif 000005